(57)【要約】【課題】車両の車幅方向の長さの増大を抑制しかつアーム長さを長くすると共に、アッパーアームおよびロアーアームの取り付け位置の自由度が高い車両を提供すること。【解決手段】左アッパーアーム６０Ｌと左補助フレーム５６Ｌとが連結された第１左前連結部６５Ｌおよび第１左後連結部６６Ｌを通る第１左直線Ｌ１は、車両底面視において、後方に行くほど車幅方向の内方に向かうように傾斜し、左ロアーアーム７０Ｌと左メインフレーム２２Ｌとが連結された第２左前連結部７５Ｌおよび第２左後連結部７６Ｌを通る第２左直線Ｌ２は、車両底面視において、後方に行くほど車幅方向の内方に向かうように傾斜し、第１左前連結部６５Ｌと第１左後連結部６６Ｌとの車両前後方向の中心位置Ｅ２は、第２左前連結部７５Ｌと第２左後連結部７６Ｌとの車両前後方向の中心位置Ｅ１よりも後方である。【選択図】図６
2016120824.tif 000002
【特許請求の範囲】
【請求項１】
車体フレームと、
後輪を支持し、前記車体フレームに連結されたアッパーアームと、
前記アッパーアームより下方に配置され、前記後輪を支持し、前記車体フレームに連結されたロアーアームと、
前記車体フレームと、前記ロアーアームまたは前記アッパーアームとに連結されたショックアブソーバと、
前記アッパーアームと前記車体フレームとが連結された第１前連結部と、前記第１前連結部より後方かつ車幅方向の内方に配置され、前記アッパーアームと前記車体フレームとが連結された第１後連結部と、
前記ロアーアームと前記車体フレームとが連結された第２前連結部と、前記第２前連結部より後方かつ車幅方向の内方に配置され、前記ロアーアームと前記車体フレームとが連結された第２後連結部と、を備え、
前記第１前連結部と前記第１後連結部とを通る第１直線は、車両底面視において、後方に行くほど車幅方向の内方に向かうように傾斜し、
前記第２前連結部と前記第２後連結部とを通る第２直線は、車両底面視において、後方に行くほど車幅方向の内方に向かうように傾斜し、
前記第１前連結部と前記第１後連結部との車両前後方向の中心位置は、前記第２前連結部と前記第２後連結部との車両前後方向の中心位置よりも後方である、車両。
【請求項２】
前記車体フレームは、上フレームと、前記上フレームより下方に配置された下フレームと、を備え、
前記下フレームは、車両前後方向に延びる第１部分と、前記第１部分から後方かつ車幅方向の内方に延びる第２部分と、前記第２部分から後方に延びる第３部分とを備え、
前記第２前連結部において、前記第１部分と前記ロアーアームとが連結され、前記第２後連結部において、前記第３部分と前記ロアーアームとが連結される、請求項１に記載の車両。
【請求項３】
前記車体フレームに支持されたエンジンを備え、
前記エンジンは、前記第３部分より前方に配置されている、請求項２に記載の車両。
【請求項４】
前記第２直線は、車両底面視において、前記下フレームの第２部分と重なる、請求項２に記載の車両。
【請求項５】
前記第２前連結部は、前記後輪より前方に配置されている、請求項１に記載の車両。
【請求項６】
前記車体フレームは、上フレームと、前記上フレームより下方に配置された下フレームと、前記下フレームから後斜め上方に延び、前記上フレームに接続された接続フレームと、前記下フレームと前記接続フレームとが接続された接続部と、を備え、
前記接続部は、前記上フレームの後端より前方に位置する、請求項１に記載の車両。
【請求項７】
前記ショックアブソーバは、前記ロアーアームに連結され、
前記第２前連結部と前記第２後連結部との車両前後方向の距離は、前記第１前連結部と前記第１後連結部との車両前後方向の距離より長い、請求項１に記載の車両。
【請求項８】
前記第２後連結部は、車両背面視において、前記第１後連結部より車幅方向の外方に配置されている、請求項１に記載の車両。
【請求項９】
前記アッパーアームと前記後輪とが連結された第３前連結部と、前記第３前連結部より後方かつ車幅方向の内方に配置され、前記アッパーアームと前記後輪とが連結された第３後連結部と、
前記ロアーアームと前記後輪とが連結された第４前連結部と、前記第４前連結部より後方かつ車幅方向の内方に配置され、前記ロアーアームと前記後輪とが連結された第４後連結部と、を備え、
前記第３前連結部と前記第３後連結部とを通る第３直線は、前記第１直線と平行または実質的に平行であり、
前記第４前連結部と前記第４後連結部とを通る第４直線は、前記第２直線と平行または実質的に平行である、請求項１に記載の車両。
【請求項１０】
車体フレームと、
後輪を支持し、前記車体フレームに連結されたアッパーアームと、
前記アッパーアームより下方に配置され、前記後輪を支持し、前記車体フレームに連結されたロアーアームと、
前記車体フレームと、前記ロアーアームとに連結されたショックアブソーバと、
前記ロアーアームと前記車体フレームとが連結された前連結部と、前記前連結部より後方かつ車幅方向の内方に配置され、前記ロアーアームと前記車体フレームとが連結された後連結部と、を備え、
前記前連結部と前記後連結部とを通る直線は、車両底面視において、後方に行くほど車幅方向の内方に向かうように傾斜し、
前記前連結部は、車両側面視において、前記後輪より前方に配置されている、車両。
【請求項１１】
前記車体フレームは、上フレームと、前記上フレームより下方に配置された下フレームと、を備え、
前記下フレームは、車両前後方向に延びる第１部分と、前記第１部分から後方かつ車幅方向の内方に延びる第２部分と、前記第２部分から後方に延びる第３部分とを備え、
前記前連結部において、前記第１部分と前記ロアーアームとが連結され、前記後連結部において、前記第３部分と前記ロアーアームとが連結される、請求項１０に記載の車両。
【請求項１２】
前記車体フレームに支持されたエンジンを備え、
前記エンジンは、前記第３部分より前方に配置されている、請求項１１に記載の車両。
【請求項１３】
前記直線は、車両底面視において、前記下フレームの第２部分と重なる、請求項１１に記載の車両。
【請求項１４】
前記車体フレームは、上フレームと、前記上フレームより下方に配置された下フレームと、前記下フレームから後斜め上方に延び、前記上フレームに接続された接続フレームと、を備え、
前記下フレームの後端部は、前記上フレームの後端部より前方に位置する、請求項１０に記載の車両。
【請求項１５】
前記ロアーアームと前記後輪とが連結された後輪側前連結部と、前記後輪側前連結部より後方かつ車幅方向の内方に配置され、前記ロアーアームと前記後輪とが連結された後輪側後連結部と、を備え、
前記後輪側前連結部と前記後輪側後連結部とを通る後輪側直線は、前記直線と平行または実質的に平行である、請求項１０に記載の車両。
【発明の詳細な説明】
【技術分野】
【０００１】
本発明は、不整地を走行するのに適した車両に関する。
【背景技術】
【０００２】
従来から不整地を走行するのに適した車両として、ＡＴＶ（All Terrain Vehicle）やＲＯＶ（Recreational Off-Highway Vehicle）等が知られている。特許文献１および２のＲＯＶは、可動部材であるアッパーアームおよびロアーアームを介して車体フレームに支持された後輪を備えている。特許文献１および２のＲＯＶは、さらに車体フレームとロアーアームとに連結されたショックアブソーバを備えている。
【０００３】
ところで、ショックアブソーバの衝撃吸収性能は、ショックアブソーバの可動範囲、即ちストロークが大きいほど向上する。またショックアブソーバの可動範囲は、アッパーアームおよびロアーアームの車幅方向の長さであるアーム長さに依拠する。アーム長さは、車体フレームとアッパーアームおよびロアーアームとの連結部分と、車輪とアッパーアームおよびロアーアームとの連結部分との距離であり、アーム長さが長くなるほど、ショックアブソーバの可動範囲も大きくなる。
【０００４】
特許文献１および２では、アッパーアームおよびロアーアームは、車両前後方向延びる車体フレームに連結されている。このような構造において、アーム長さを長くしようとしたとき、車輪を車幅方向の外方に配置することが考えられる。しかし、この場合は、車両の車幅方向の長さが長くなってしまう。一方、アッパーアームおよびロアーアームの連結部分を車幅方向の内方にすることが考えられる。しかし、アッパーアームおよびロアーアームの車幅方向の内方には、エンジン等の部材が配置される。このため、可動部材であるアッパーアームおよびロアーアームの連結部分を車幅方向の内方にすることは困難である。
【０００５】
そこで、特許文献３のように、車体フレームと、アッパーアームおよびロアーアームとの連結部分のうち、車両前方の連結部分より車両後方の連結部分を車幅方向の内方に配置することが考えられる。これにより、車両の車幅方向の長さを長くしなくても、アーム長さを長くすることできる。
【先行技術文献】
【特許文献】
【０００６】
【特許文献１】米国特許第７４６１８５１Ｂ２号公報
【特許文献２】米国特許第６６９５３２９Ｂ２号公報
【特許文献３】米国特許出願公開第２０１２／２２３５００号明細書
【発明の概要】
【発明が解決しようとする課題】
【０００７】
しかしながら、特許文献３では、車体フレームと、アッパーアームおよびロアーアームとの連結部分は、車両平面視でほぼ同じ位置である。このため、車両上下方向のほぼ同じ位置に車体フレームを設けなければならず、アッパーアームおよびロアーアームの取り付け位置の自由度も制限されてしまう。
【０００８】
本発明はかかる点に鑑みてなされたものであり、その目的は、車両の車幅方向の長さの増大を抑制しかつアーム長さを長くすると共に、アッパーアームおよびロアーアームの取り付け位置の自由度が高い車両を提供することである。
【課題を解決するための手段】
【０００９】
本発明に係る車両は、車体フレームと、後輪を支持し、前記車体フレームに連結されたアッパーアームと、前記アッパーアームより下方に配置され、前記後輪を支持し、前記車体フレームに連結されたロアーアームと、前記車体フレームと、前記ロアーアームまたは前記アッパーアームとに連結されたショックアブソーバと、前記アッパーアームと前記車体フレームとが連結された第１前連結部と、前記第１前連結部より後方かつ車幅方向の内方に配置され、前記アッパーアームと前記車体フレームとが連結された第１後連結部と、前記ロアーアームと前記車体フレームとが連結された第２前連結部と、前記第２前連結部より後方かつ車幅方向の内方に配置され、前記ロアーアームと前記車体フレームとが連結された第２後連結部と、を備え、前記第１前連結部と前記第１後連結部とを通る第１直線は、車両底面視において、後方に行くほど車幅方向の内方に向かうように傾斜し、前記第２前連結部と前記第２後連結部とを通る第２直線は、車両底面視において、後方に行くほど車幅方向の内方に向かうように傾斜し、前記第１前連結部と前記第１後連結部との車両前後方向の中心位置は、前記第２前連結部と前記第２後連結部との車両前後方向の中心位置よりも後方である。
【００１０】
本発明に係る車両では、第１前連結部と第１後連結部とを通る第１直線および第２前連結部と第２後連結部とを通る第２直線は、車両の後方に行くほど車幅方向の内方に向かうように傾斜している。このため、車両の車幅方向の長さを長くしなくとも、アッパーアームおよびロアーアームの車幅方向の長さであるアーム長さを長くすることができる。これにより、ストロークのより長いショックアブソーバを用いることができるため、ショックアブソーバの衝撃吸収性能が向上する。また、第１直線および第２直線を、後方に行くほど車幅方向の内方に向かうように傾斜させることによって、第１前連結部を第１後連結部よりも車幅方向の外方に配置し、第２前連結部を第２後連結部よりも車幅方向の外方に配置することができる。このため、第１前連結部および第２前連結部の車幅方向の内方に位置するエンジン等の部材のレイアウトの自由度が高くなる。一方、第１直線および第２直線を、後方に行くほど車幅方向の外方に向かうように傾斜させる場合、車両の車幅方向の長さをコンパクトにするためには第１前連結部および第２前連結部を車幅方向の内方に配置しなければならないが、第１前連結部および第２前連結部の車幅方向の内方にはエンジン等の部材が配置されるため、エンジン等のレイアウトが困難になってしまう。さらにまた、第１前連結部と第１後連結部との車両前後方向の中心位置は、第２前連結部と第２後連結部との車両前後方向の中心位置よりも後方にあるため、各連結部の配置の自由度が高く、アッパーアームおよびロアーアームの取り付け位置の自由度が向上する。なお、アッパーアームと、ショックアブソーバやエンジンから延びる排気管との干渉を避けるため、アッパーアームと車体フレームとの連結部である第１前連結部や第１後連結部の配置には制限がある。このため、平面視において、第１前連結部と第２前連結部との位置および第１後連結部と第２後連結部との位置をそれぞれ同じにしようとした場合、ロアーアームと車体フレームとの連結部である第２前連結部や第２後連結部の配置にも制限が生じてしまう。
【発明の効果】
【００１１】
以上のように、本発明によれば、車両の車幅方向の長さの増大を抑制しかつアーム長さを長くすると共に、アッパーアームおよびロアーアームの取り付け位置の自由度が高い車両を提供することができる。
【図面の簡単な説明】
【００１２】
【図１】図１は、本発明の一実施形態に係るＲＯＶを示す左側面図である。
【図２】図２は、本発明の一実施形態に係るＲＯＶの一部を示す平面図である。
【図３】図３は、本発明の一実施形態に係るＲＯＶの後部の主要部品を示す平面図である。
【図４】図４は、本発明の一実施形態に係るＲＯＶの主要部品を示す背面図である。
【図５】図５は、本発明の一実施形態に係るＲＯＶの主要部品を示す背面図である。
【図６】図６は、本発明の一実施形態に係るＲＯＶの後部の主要部品を示す底面図である。
【図７】図７は、本発明の一実施形態に係るＲＯＶの主要部品を示す斜視図である。
【図８】図８は、本発明の一実施形態に係るＲＯＶの主要部品を示す背面図である。
【図９】図９は、本発明の一実施形態に係るＲＯＶの後部の主要部品を示す左側面図である。
【発明を実施するための形態】
【００１３】
以下、本発明の実施形態について説明する。図１に示すように、本実施形態に係る車両は、ＲＯＶ１である。ＲＯＶ１は、不整地を走行するのに適している。本発明に係る車両は、ＲＯＶに限定されない。例えば、ＡＴＶ等であってもよい。
【００１４】
以下の説明において、特に断らない限り、前、後、左、右、上、下は、それぞれＲＯＶ１の左シート１０Ｌに着座した乗員から見た前、後、左、右、上、下を意味するものとする。上、下は、それぞれＲＯＶ１が水平面上に停止しているときの鉛直方向の上、下を意味するものとする。図面に付した符号Ｆ、Ｒｅ、Ｌ、Ｒ、Ｕｐ，Ｄｎは、それぞれ前、後、左、右、上、下を表す。
【００１５】
図１に示すように、ＲＯＶ１は、車体フレーム２０を備えている。車体フレーム２０は、パイプフレームである。車体フレーム２０は、車両前後方向に延びるメインフレーム２２と、メインフレーム２２より上方に配置されたセンターフレーム２４と、センターフレーム２４の前方に配置されたフロントフレーム３０と、センターフレーム２４の後方に配置されたリアフレーム４０とを備えている。
【００１６】
センターフレーム２４は、第１センターフレーム２６と第２センターフレーム２８とを備えている。第１センターフレーム２６は、第２センターフレーム２８の上方に配置されている。第１センターフレーム２６は、第２センターフレーム２８と接続している。第１センターフレーム２６は、車両前後方向に延びる第１部分２６Ａと、第１部分２６Ａの前端から前斜め下方に延びる第２部分２６Ｂと、第１部分２６Ａの後端から後斜め下方に延びる第３部分２６Ｃと、第３部分２６Ｃの中途部から前斜め下方に延びる第４部分２６Ｄとを備えている。第２センターフレーム２８は、メインフレーム２２より上方に配置されている。第２センターフレーム２８は、メインフレーム２２と連結している。第２センターフレーム２８は、車両前後方向に延びる第１部分２８Ａと、第１部分２８Ａの前端から前斜め上方に延びる第２部分２８Ｂと、第１部分２８Ａの後端から後斜め上方に延びる第３部分２８Ｃとを備えている。第１部分２８Ａは、メインフレーム２２と連結している。第２部分２８Ｂは、第１センターフレーム２６の第２部分２６Ｂと接続している。第３部分２８Ｃは、第１センターフレーム２６の第４部分２６Ｄと接続している。
【００１７】
図１に示すように、フロントフレーム３０は、第１フロントフレーム３２と、第２フロントフレーム３４と、第３フロントフレーム３６とを備えている。第１フロントフレーム３２は、第２センターフレーム２８の第２部分２８Ｂに接続している。第３フロントフレーム３６は、第１フロントフレーム３２の中途部から下方に延びる。第３フロントフレーム３６は、第２フロントフレーム３４の中途部に接続している。第２フロントフレーム３４は、車両前後方向に延びる。第２フロントフレーム３４の前端は、第１フロントフレーム３２と接続している。第２フロントフレーム３４の後端は、メインフレーム２２と接続している。
【００１８】
図１に示すように、リアフレーム４０は、第１リアフレーム４２と、第２リアフレーム４４と、第１接続フレーム４６と、第２接続フレーム５０と、第３接続フレーム５２と、アーム連結部材５６とを備えている。
【００１９】
第１リアフレーム４２は、第１センターフレーム２６の第３部分２６Ｃから後斜め下方に延びる。図２に示すように、第１リアフレーム４２は、左の第３部分２６Ｃから後斜め右方に延びる左側部４２Ｌと、右の第３部分２６Ｃから後斜め左方に延びる右側部４２Ｒと、左側部４２Ｌと右側部４２Ｒとを接続し、車幅方向に延びる後部４２Ｂとを備えている。
【００２０】
図１に示すように、第２リアフレーム４４は、第２センターフレーム２８の第３部分２８Ｃの中途部から後方に延びる。図３に示すように、第２リアフレーム４４は、第１リアフレーム４２から前方に延びる。第２リアフレーム４４は、第１リアフレーム４２の後部４２Ｂと接続している。図１に示すように、第２リアフレーム４４は、第２センターフレーム２８の第３部分２８Ｃと第１リアフレーム４２とに連結されている。
【００２１】
図１に示すように、第１接続フレーム４６は、第１リアフレーム４２の後端から前斜め下方に延びる。第１接続フレーム４６は、メインフレーム２２の後端から後斜め上方に延びる。第１接続フレーム４６は、第２接続フレーム５０より後方に配置されている。第１接続フレーム４６は、メインフレーム２２に接続されている。第１接続フレーム４６は、第１リアフレーム４２とメインフレーム２２とに接続されている。第１接続フレーム４６は、後述のエンジン１４より後方に配置されている。第２接続フレーム５０は、第２リアフレーム４４の中途部から前斜め下方に延びる。第２接続フレーム５０は、メインフレーム２２に接続されている。第２接続フレーム５０は、第３接続フレーム５２より前方に配置されている。第３接続フレーム５２は、第１リアフレーム４２の中途部から前斜め下方に延びる。第３接続フレーム５２は、第２リアフレーム４４の中途部に接続されている。
【００２２】
図４に示すように、第１接続フレーム４６は、左パイプフレーム４６Ｌと右パイプフレーム４６Ｒとを備えている。左パイプフレーム４６Ｌは、第１リアフレーム４２と後述の左メインフレーム２２Ｌとに接続されている。右パイプフレーム４６Ｒは、第１リアフレーム４２と後述の右メインフレーム２２Ｒとに接続されている。第１接続フレーム４６は、左パイプフレーム４６Ｌと右パイプフレーム４６Ｒとを備えているが、これに限定されない。第１接続フレーム４６は、左パイプフレーム４６Ｌと右パイプフレーム４６Ｒとを一体にした板状のフレームを備えていてもよい。図４において、後述の左後輪９Ｌおよび右後輪９Ｒのタイアの図示は便宜上省略している。
【００２３】
図５に示すように、左パイプフレーム４６Ｌは、第１部分４６ＬＡと中間部４６ＬＭと第２部分４６ＬＢとを備えている。第２部分４６ＬＢは、第１部分４６ＬＡより下方に位置する。中間部４６ＬＭは、第１部分４６ＬＡの下方かつ第２部分４６ＬＢの上方に位置し、第１部分４６ＬＡと第２部分４６ＬＢとを接続する。第１部分４６ＬＡは、下方に行くほど車幅方向の内方に向けて傾斜する。第１部分４６ＬＡは、下方に行くほど右方に向けて傾斜する。中間部４６ＬＭは、上下方向に延びる。第２部分４６ＬＢは、下方に行くほど車幅方向の外方に向けて傾斜する。第２部分４６ＬＢは、下方に行くほど左方に向けて傾斜する。右パイプフレーム４６Ｒは、第１部分４６ＲＡと中間部４６ＲＭと第２部分４６ＲＢとを備えている。第２部分４６ＲＢは、第１部分４６ＲＡより下方に位置する。中間部４６ＲＭは、第１部分４６ＲＡの下方かつ第２部分４６ＲＢの上方に位置し、第１部分４６ＲＡと第２部分４６ＲＢとを接続する。第１部分４６ＲＡは、下方に行くほど車幅方向の内方に向けて傾斜する。第１部分４６ＲＡは、下方に行くほど左方に向けて傾斜する。中間部４６ＲＭは、上下方向に延びる。第２部分４６ＲＢは、下方に行くほど車幅方向の外方に向けて傾斜する。第２部分４６ＲＢは、下方に行くほど右方に向けて傾斜する。なお、第２部分４６ＬＢは、第１部分４６ＬＡの下端から下方に延び、下方に行くほど車幅方向の外方に向けて傾斜してもよい。第２部分４６ＲＢは、第１部分４６ＲＡの下端から下方に延び、下方に行くほど車幅方向の外方に向けて傾斜してもよい。この場合、第１部分４６ＬＡと第２部分４６ＬＢとの接続部分が中間部４６ＬＭであり、第１部分４６ＲＡと第２部分４６ＲＢとの接続部分が中間部４６ＲＭである。
【００２４】
図４に示すように、第１リアフレーム４２は、第１上接続部４７Ｌ（図６も参照）と、第２上接続部４７Ｒ（図６も参照）と、を備えている。メインフレーム２２は、第１下接続部４８Ｌ（図６も参照）と、第２下接続部４８Ｒ（図６も参照）と、を備えている。第２上接続部４７Ｒは、第１上接続部４７Ｌより右方に配置されている。第２下接続部４８Ｒは、第１下接続部４８Ｌより右方に配置されている。第１下接続部４８Ｌは、第１上接続部４７Ｌより右方に配置されている。第２下接続部４８Ｒは、第２上接続部４７Ｒより左方に配置されている。図６に示すように、第１下接続部４８Ｌおよび第２下接続部４８Ｒは、第１リアフレーム４２の後端４２ＢＢより前方に位置する。図６において、後述の左後輪９Ｌおよび右後輪９Ｒのタイアの図示は便宜上省略している。
【００２５】
図４に示すように、第１上接続部４７Ｌにおいて、第１リアフレーム４２と第１接続フレーム４６とが接続されている。第１上接続部４７Ｌにおいて、第１リアフレーム４２と左パイプフレーム４６Ｌとが接続されている。第２上接続部４７Ｒにおいて、第１リアフレーム４２と第１接続フレーム４６とが接続されている。第２上接続部４７Ｒにおいて、第１リアフレーム４２と右パイプフレーム４６Ｒとが接続されている。第１下接続部４８Ｌにおいて、メインフレーム２２と第１接続フレーム４６とが接続されている。第１下接続部４８Ｌにおいて、左メインフレーム２２Ｌと左パイプフレーム４６Ｌとが接続されている。第２下接続部４８Ｒにおいて、メインフレーム２２と第１接続フレーム４６とが接続されている。第２下接続部４８Ｒにおいて、右メインフレーム２２Ｒと右パイプフレーム４６Ｒとが接続されている。本実施形態において、第１下接続部４８Ｌおよび第２下接続部４８Ｒは、前後方向に延びるメインフレーム２２と、上下方向に延びる第１接続フレーム４６（左パイプフレーム４６Ｌおよび右パイプフレーム４６Ｒ）とが接続する部分である。なお、本実施形態では、メインフレーム２２と第１接続フレーム４６とは、一体に形成されているが、別体に形成されていてもよい。
【００２６】
図４に示すように、第１上接続部４７Ｌと第２上接続部４７Ｒとの距離Ａは、第１下接続部４８Ｌと第２下接続部４８Ｒとの距離Ｂよりも長い。図６に示すように、第１上接続部４７Ｌは、第１下接続部４８Ｌより後方に配置されている。第２上接続部４７Ｒは、第２下接続部４８Ｒより後方に配置されている。
【００２７】
図５に示すように、第１接続フレーム４６は、クロスメンバ４９を備えている。クロスメンバ４９は、左パイプフレーム４６Ｌと右パイプフレーム４６Ｒとの間に配置されている。クロスメンバ４９は、左パイプフレーム４６Ｌと右パイプフレーム４６Ｒとに連結されている。クロスメンバ４９は、第２部分４６ＬＢと第２部分４６ＲＢとに連結されている。本実施形態のクロスメンバ４９は、板状に形成されているが、パイプ状に形成されていてもよい。
【００２８】
図７に示すように、第２リアフレーム４４は、アーム連結部材５６より上方に配置されている。図３に示すように、第２リアフレーム４４は、第１補助フレーム４４Ｌと第２補助フレーム４４Ｒとを備えている。第１補助フレーム４４Ｌおよび第２補助フレーム４４Ｒは、パイプフレームである。第１補助フレーム４４Ｌおよび第２補助フレーム４４Ｒは、第３接続フレーム５２と接続している。第１補助フレーム４４Ｌと第２補助フレーム４４Ｒとの間には、第３補助フレーム４４Ｘが配置されている。第３補助フレーム４４Ｘは、第１リアフレーム４２の後部４２Ｂと第３接続フレーム５２とに接続している。図７において、左後輪９Ｌおよび右後輪９Ｒのタイアの図示は便宜上省略している。
【００２９】
図３に示すように、アーム連結部材５６は、後述の左アッパーアーム６０Ｌの右方に配置されている。アーム連結部材５６は、後述の右アッパーアーム６０Ｒの左方に配置されている。アーム連結部材５６は、左アッパーアーム６０Ｌおよび右アッパーアーム６０Ｒを支持する。
【００３０】
図３に示すように、アーム連結部材５６は、左補助フレーム５６Ｌと右補助フレーム５６Ｒとを備えている。左補助フレーム５６Ｌおよび右補助フレーム５６Ｒは、パイプフレームである。左補助フレーム５６Ｌは、左パイプフレーム４６Ｌ（図４も参照）から前斜め左方に延びる。右補助フレーム５６Ｒは、右パイプフレーム４６Ｒ（図４も参照）から前方に延びる。図５に示すように、左補助フレーム５６Ｌは、左パイプフレーム４６Ｌの第１部分４６ＬＡと第２部分４６ＬＢとの間から前方に延びる。左補助フレーム５６Ｌは、左パイプフレーム４６Ｌの中間部４６ＬＭから前方に延びる。右補助フレーム５６Ｒは、右パイプフレーム４６Ｒの第１部分４６ＲＡと第２部分４６ＲＢとの間から前方に延びる。右補助フレーム５６Ｒは、右パイプフレーム４６Ｒの中間部４６ＲＭから前方に延びる。左補助フレーム５６Ｌと左パイプフレーム４６Ｌとの連結部４６ＬＸ（図７も参照）は、第１下接続部４８Ｌより右方かつ第２下接続部４８Ｒより左方に配置されている。右補助フレーム５６Ｒと右パイプフレーム４６Ｒとの連結部４６ＲＸ（図７も参照）は、第１下接続部４８Ｌより右方かつ第２下接続部４８Ｒより左方に配置されている。なお、アーム連結部材５６は、左補助フレーム５６Ｌおよび右補助フレーム５６Ｒの２つのフレームを備えているが、一つのフレームであってもよい。アーム連結部材５６は、メインフレーム２２から上方に延びるブラケットであってもよい。アーム連結部材５６は、第２接続フレーム５０に設けられたブラケットであってもよい。
【００３１】
図６に示すように、メインフレーム２２は、左メインフレーム２２Ｌと右メインフレーム２２Ｒとを備えている。左メインフレーム２２Ｌおよび右メインフレーム２２Ｒは、パイプフレームである。左メインフレーム２２Ｌは、第１部分２２ＬＡと、第２部分２２ＬＢと、第３部分２２ＬＣとを備えている。第１部分２２ＬＡは、車両前後方向に延びる。第２部分２２ＬＢは、第１部分２２ＬＡから後方かつ車幅方向の内方に延び、第１部分２２ＬＡと第３部分２２ＬＣとを接続する。第２部分２２ＬＢは、第１部分２２ＬＡから後方かつ右方に延びる。第３部分２２ＬＣは、第２部分２２ＬＢから後方に延びる。第３部分２２ＬＣの後端部は、左パイプフレーム４６Ｌと接続している。右メインフレーム２２Ｒは、第１部分２２ＲＡと、第２部分２２ＲＢと、第３部分２２ＲＣとを備えている。第１部分２２ＲＡは、車両前後方向に延びる。第２部分２２ＲＢは、第１部分２２ＲＡから後方かつ車幅方向の内方に延び、第１部分２２ＲＡと第３部分２２ＲＣとを接続する。第２部分２２ＲＢは、第１部分２２ＲＡから後方かつ左方に延びる。第３部分２２ＲＣは、第２部分２２ＲＢから後方に延びる。第３部分２２ＲＣの後端部は、右パイプフレーム４６Ｒと接続している。
【００３２】
図１に示すように、ＲＯＶ１は、ハンドル２を備えている。ハンドル２には、ステアリングシャフト３が取り付けられている。ＲＯＶ１は、左前輪７Ｌおよび右前輪（図示せず）と左後輪９Ｌおよび右後輪９Ｒ（図３参照）とを備えている。左前輪７Ｌおよび右前輪は、フロントフレーム３０に設けられた車軸（図示せず）に連結されている。左前輪７Ｌおよび右前輪は、ハンドル２によって操作される。図３に示すように、左後輪９Ｌは、リアフレーム４０に設けられた左車軸１２Ｌに連結されている。右後輪９Ｒは、リアフレーム４０に設けられた右車軸１２Ｒに連結されている。
【００３３】
図２に示すように、ハンドル２（図１参照）より後方には、運転者が着座する左シート１０Ｌおよび乗員が着座する右シート１０Ｒが配置されている。左シート１０Ｌは、メインフレーム２２に支持されている。左シート１０Ｌは、左メインフレーム２２Ｌに支持されている。右シート１０Ｒは、メインフレーム２２に支持されている。右シート１０Ｒは、右メインフレーム２２Ｒに支持されている。左シート１０Ｌは、ハンドル２の後方に配置されている。右シート１０Ｒは、左シート１０Ｌの右方に配置されている。
【００３４】
図１に示すように、ＲＯＶ１は、エンジン１４を備えている。エンジン１４は、車体フレーム２０に支持されている。エンジン１４は、メインフレーム２２に支持されている。エンジン１４は、第１リアフレーム４２より下方に配置されている。図２に示すように、エンジン１４は、左シート１０Ｌおよび右シート１０Ｒより後方に配置されている。図６に示すように、エンジン１４は、左メインフレーム２２Ｌの第３部分２２ＬＣおよび右メインフレーム２２Ｒの第３部分２２ＲＣより前方に配置されている。
【００３５】
図１に示すように、ＲＯＶ１は、エアクリーナ１５を備えている。エアクリーナ１５は、エンジン１４の上方に配置されている。エアクリーナ１５は、エンジン１４に連結されている。図２に示すように、エアクリーナ１５は、左シート１０Ｌおよび右シート１０Ｒより後方に配置されている。
【００３６】
図４に示すように、ＲＯＶ１は、最終減速機１８と、最終減速機１８に設けられた左車軸１２Ｌおよび右車軸１２Ｒとを備えている。図６に示すように、最終減速機１８は、エンジン１４の後方に配置されている。最終減速機１８は、左アッパーアーム６０Ｌと右アッパーアーム６０Ｒとの間に配置されている。左車軸１２Ｌおよび右車軸１２Ｒは、車幅方向に延びる。左車軸１２Ｌは、最終減速機１８を介してエンジン１４の駆動力を受けて回転する。右車軸１２Ｒは、最終減速機１８を介してエンジン１４の駆動力を受けて回転する。図５に示すように、左車軸１２Ｌは、車両背面視において、左アッパーアーム６０Ｌの下方かつ左ロアーアーム７０Ｌの上方に配置されている。右車軸１２Ｒは、車両背面視において、右アッパーアーム６０Ｒの下方かつ右ロアーアーム７０Ｒの上方に配置されている。
【００３７】
図３に示すように、ＲＯＶ１は、左アッパーアーム６０Ｌと右アッパーアーム６０Ｒとを備えている。左アッパーアーム６０Ｌおよび右アッパーアーム６０Ｒは、エンジン１４より後方に配置されている。左アッパーアーム６０Ｌは、左後輪９Ｌを支持する。右アッパーアーム６０Ｒは、右後輪９Ｒを支持する。図８に示すように、左アッパーアーム６０Ｌは、第１接続フレーム４６より左方に配置されている。左アッパーアーム６０Ｌは、左パイプフレーム４６Ｌより左方に配置されている。右アッパーアーム６０Ｒは、第１接続フレーム４６より右方に配置されている。右アッパーアーム６０Ｒは、右パイプフレーム４６Ｒより右方に配置されている。図８において、左パイプフレーム４６Ｌの一部、右パイプフレーム４６Ｒの一部および第１リアフレーム４２の図示は便宜上省略している。
【００３８】
図７に示すように、左アッパーアーム６０Ｌは、第１左アッパーフレーム６１Ｌと、第２左アッパーフレーム６２Ｌと、第３左アッパーフレーム６３Ｌとを備えている。第１左アッパーフレーム６１Ｌは、車両前後方向に延びる。第２左アッパーフレーム６２Ｌは、第１左アッパーフレーム６１Ｌの前部から左方に延びる。第３左アッパーフレーム６３Ｌは、第１左アッパーフレーム６１Ｌの後部から左方に延びた後、前方に延びる。第２左アッパーフレーム６２Ｌの左端部は、第３左アッパーフレーム６３Ｌと接続している。第２左アッパーフレーム６２Ｌと第３左アッパーフレーム６３Ｌとによって、Ｕ字形状が形成されている。
【００３９】
図７に示すように、右アッパーアーム６０Ｒは、第１右アッパーフレーム６１Ｒと、第２右アッパーフレーム６２Ｒと、第３右アッパーフレーム６３Ｒとを備えている。第１右アッパーフレーム６１Ｒは、車両前後方向に延びる。第２右アッパーフレーム６２Ｒは、第１右アッパーフレーム６１Ｒの前部から右方に延びる。第３右アッパーフレーム６３Ｒは、第１右アッパーフレーム６１Ｒの後部から右方に延びた後、前方に延びる。第２右アッパーフレーム６２Ｒの右端部は、第３右アッパーフレーム６３Ｒと接続している。第２右アッパーフレーム６２Ｒと第３右アッパーフレーム６３Ｒとによって、Ｕ字形状が形成されている。
【００４０】
図４に示すように、ＲＯＶ１は、第１左前連結部６５Ｌ（図７も参照）と、第１左後連結部６６Ｌ（図７も参照）と、第１右前連結部６５Ｒ（図７も参照）と、第１右後連結部６６Ｒ（図７も参照）とを備えている。第１左前連結部６５Ｌおよび第１左後連結部６６Ｌは、左補助フレーム５６Ｌに設けられたブラケットである。第１右前連結部６５Ｒおよび第１右後連結部６６Ｒは、右補助フレーム５６Ｒに設けられたブラケットである。図７に示すように、第１左後連結部６６Ｌは、第１左前連結部６５Ｌより後方に配置されている。第１右後連結部６６Ｒは、第１右前連結部６５Ｒより後方に配置されている。第１左前連結部６５Ｌにおいて、左アッパーアーム６０Ｌの第１左アッパーフレーム６１Ｌと左補助フレーム５６Ｌとが連結されている。第１左後連結部６６Ｌにおいて、左アッパーアーム６０Ｌの第１左アッパーフレーム６１Ｌと左補助フレーム５６Ｌとが連結されている。左アッパーアーム６０Ｌは、左補助フレーム５６Ｌに回動可能に設けられている。第１右前連結部６５Ｒにおいて、右アッパーアーム６０Ｒの第１右アッパーフレーム６１Ｒと右補助フレーム５６Ｒとが連結されている。第１右後連結部６６Ｒ（図４も参照）において、右アッパーアーム６０Ｒの第１右アッパーフレーム６１Ｒと右補助フレーム５６Ｒとが連結されている。右アッパーアーム６０Ｒは、右補助フレーム５６Ｒに回動可能に設けられている。図４に示すように、第１下接続部４８Ｌは、車両背面視において、第１左後連結部６６Ｌより左方に位置する。第２下接続部４８Ｒは、車両背面視において、第１右後連結部６６Ｒより右方に位置する。図６に示すように、第１左前連結部６５Ｌは、エンジン１４より後方に位置する。第１右前連結部６５Ｒは、エンジン１４より後方に位置する。
【００４１】
図６に示すように、第１左前連結部６５Ｌと第１左後連結部６６Ｌとを通る第１左直線Ｌ１は、車両底面視において、後方に行くほど車幅方向の内方に向かうように傾斜している。第１左直線Ｌ１は、車両底面視において、後方に行くほど右方に向かうように傾斜している。第１右前連結部６５Ｒと第１右後連結部６６Ｒとを通る第１右直線Ｒ１は、車両底面視において、後方に行くほど車幅方向の内方に向かうように傾斜している。第１右直線Ｒ１は、車両底面視において、後方に行くほど左方に向かうように傾斜している。第１左直線Ｌ１と第１右直線Ｒ１とは、車両底面視において、第１リアフレーム４２より後方において交わる。
【００４２】
図７に示すように、ＲＯＶ１は、第３左前連結部６７Ｌと、第３左後連結部６８Ｌと、第３右前連結部６７Ｒと、第３右後連結部６８Ｒとを備えている。第３左後連結部６８Ｌは、第３左前連結部６７Ｌより後方に配置されている。第３右後連結部６８Ｒは、第３右前連結部６７Ｒより後方に配置されている。第３左前連結部６７Ｌにおいて、左アッパーアーム６０Ｌの第３左アッパーフレーム６３Ｌと左後輪９Ｌとが連結されている。第３左後連結部６８Ｌにおいて、左アッパーアーム６０Ｌの第３左アッパーフレーム６３Ｌと左後輪９Ｌとが連結されている。第３右前連結部６７Ｒにおいて、右アッパーアーム６０Ｒの第３右アッパーフレーム６３Ｒと右後輪９Ｒとが連結されている。第３右後連結部６８Ｒにおいて、右アッパーアーム６０Ｒの第３右アッパーフレーム６３Ｒと右後輪９Ｒとが連結されている。
【００４３】
図６に示すように、第３左前連結部６７Ｌと第３左後連結部６８Ｌとを通る第３左直線Ｌ３は、車両底面視において、後方に行くほど車幅方向の内方に向かうように傾斜している。第３左直線Ｌ３は、車両底面視において、後方に行くほど右方に向かうように傾斜している。第３左直線Ｌ３は、第１左直線Ｌ１と平行または実質的に平行である。第３右前連結部６７Ｒと第３右後連結部６８Ｒとを通る第３右直線Ｒ３は、車両底面視において、後方に行くほど車幅方向の内方に向かうように傾斜している。第３右直線Ｒ３は、車両底面視において、後方に行くほど左方に向かうように傾斜している。第３右直線Ｒ３は、第１右直線Ｒ１と平行または実質的に平行である。
【００４４】
図４に示すように、ＲＯＶ１は、左ロアーアーム７０Ｌと右ロアーアーム７０Ｒとを備えている。左ロアーアーム７０Ｌは、左アッパーアーム６０Ｌより下方に配置されている。右ロアーアーム７０Ｒは、右アッパーアーム６０Ｒより下方に配置されている。図５に示すように、左ロアーアーム７０Ｌは、左後輪９Ｌを支持する。右ロアーアーム７０Ｒは、右後輪９Ｒを支持する。左ロアーアーム７０Ｌは、第１接続フレーム４６より左方に配置されている。左ロアーアーム７０Ｌは、左パイプフレーム４６Ｌより左方に配置されている。右ロアーアーム７０Ｒは、第１接続フレーム４６より右方に配置されている。右ロアーアーム７０Ｒは、右パイプフレーム４６Ｒより右方に配置されている。
【００４５】
図６に示すように、左ロアーアーム７０Ｌは、第１左ロアーフレーム７１Ｌと、第２左ロアーフレーム７２Ｌと、第３左ロアーフレーム７３Ｌとを備えている。第１左ロアーフレーム７１Ｌは、車両前後方向に延びる。第２左ロアーフレーム７２Ｌは、第１左ロアーフレーム７１Ｌの前部から前斜め右方に延びる。第３左ロアーフレーム７３Ｌは、第１左ロアーフレーム７１Ｌの後部から前斜め右方に延びる。第２左ロアーフレーム７２Ｌは、第２左ロアーフレーム７３Ｌより前方に配置されている。図９に示すように、左後輪９Ｌが上下方向に揺動していないとき、第１左ロアーフレーム７１Ｌは、メインフレーム２２より下方に配置されている。
【００４６】
図６に示すように、右ロアーアーム７０Ｒは、第１右ロアーフレーム７１Ｒと、第２右ロアーフレーム７２Ｒと、第３右ロアーフレーム７３Ｒとを備えている。第１右ロアーフレーム７１Ｒは、車両前後方向に延びる。第２右ロアーフレーム７２Ｒは、第１右ロアーフレーム７１Ｒの前部から前斜め左方に延びる。第３右ロアーフレーム７３Ｒは、第１右ロアーフレーム７１Ｒの後部から前斜め左方に延びる。第２右ロアーフレーム７２Ｒは、第３右ロアーフレーム７３Ｒより前方に配置されている。図４に示すように、右後輪９Ｒが上下方向に揺動していないとき、第１右ロアーフレーム７１Ｒは、メインフレーム２２より下方に配置されている。
【００４７】
図６に示すように、ＲＯＶ１は、第２左前連結部７５Ｌと、第２左後連結部７６Ｌと、第２右前連結部７５Ｒと、第２右後連結部７６Ｒとを備えている。第２左前連結部７５Ｌおよび第２左後連結部７６Ｌは、左メインフレーム２２Ｌに設けられたブラケットである。第２右前連結部７５Ｒおよび第２右後連結部７６Ｒは、右メインフレーム２２Ｒに設けられたブラケットである。第２左後連結部７６Ｌは、第２左前連結部７５Ｌより後方に配置されている。第２右後連結部７６Ｒは、第２右前連結部７５Ｒより後方に配置されている。第２左前連結部７５Ｌにおいて、左ロアーアーム７０Ｌの第２左ロアーフレーム７２Ｌと左メインフレーム２２Ｌとが連結されている。第２左前連結部７５Ｌにおいて、左ロアーアーム７０Ｌの第２左ロアーフレーム７２Ｌと左メインフレーム２２Ｌの第１部分２２ＬＡとが連結されている。第２左後連結部７６Ｌにおいて、左ロアーアーム７０Ｌの第３左ロアーフレーム７３Ｌと左メインフレーム２２Ｌとが連結されている。第２左後連結部７６Ｌにおいて、左ロアーアーム７０Ｌの第３左ロアーフレーム７３Ｌと左メインフレーム２２Ｌの第３部分２２ＬＣとが連結されている。左ロアーアーム７０Ｌは、左メインフレーム２２Ｌに回動可能に設けられている。第２右前連結部７５Ｒにおいて、右ロアーアーム７０Ｒの第２右ロアーフレーム７２Ｒと右メインフレーム２２Ｒとが連結されている。第２右前連結部７５Ｒにおいて、右ロアーアーム７０Ｒの第２右ロアーフレーム７２Ｒと右メインフレーム２２Ｒの第１部分２２ＲＡとが連結されている。第２右後連結部７６Ｒにおいて、右ロアーアーム７０Ｒの第３右ロアーフレーム７３Ｒと右メインフレーム２２Ｒとが連結されている。第２右後連結部７６Ｒにおいて、右ロアーアーム７０Ｒの第３右ロアーフレーム７３Ｒと右メインフレーム２２Ｒの第３部分２２ＲＣとが連結されている。右ロアーアーム７０Ｒは、右メインフレーム２２Ｒに回動可能に設けられている。
【００４８】
図３に示すように、第２左前連結部７５Ｌは、左後輪９Ｌより前方に配置されている。第２右前連結部７５Ｒは、右後輪９Ｒより前方に配置されている。第２左前連結部７５Ｌおよび第２右前連結部７５Ｒは、エンジン１４より前方に配置されている。図６に示すように、第２左後連結部７６Ｌは、第１左後連結部６６Ｌより前方に位置する。第２右後連結部７６Ｒは、第１右後連結部６６Ｒより前方に位置する。図８に示すように、第２左後連結部７６Ｌは、車両背面視において、第１左後連結部６６Ｌより車幅方向の外方に位置する。第２左後連結部７６Ｌは、車両背面視において、第１左後連結部６６Ｌより左方に位置する。第２右後連結部７６Ｒは、車両背面視において、第１右後連結部６６Ｒより車幅方向の外方に位置する。第２右後連結部７６Ｒは、車両背面視において、第１右後連結部６６Ｒより右方に位置する。
【００４９】
図６に示すように、第２左前連結部７５Ｌと第２左後連結部７６Ｌとを通る第２左直線Ｌ２は、車両底面視において、後方に行くほど車幅方向の内方に向かうように傾斜している。第２左直線Ｌ２は、車両底面視において、後方に行くほど右方に向かうように傾斜している。第２左直線Ｌ２は、車両底面視において、左メインフレーム２２Ｌの第２部分２２ＬＢと重なる。第２右前連結部７５Ｒと第２右後連結部７６Ｒとを通る第２右直線Ｒ２は、車両底面視において、後方に行くほど車幅方向の内方に向かうように傾斜している。第２右直線Ｒ２は、車両底面視において、後方に行くほど左方に向かうように傾斜している。第２右直線Ｒ２は、車両底面視において、右メインフレーム２２Ｒの第２部分２２ＲＢと重なる。第２左直線Ｌ２と第２右直線Ｒ２とは、車両底面視において、第１リアフレーム４２より後方において交わる。
【００５０】
図６に示すように、ＲＯＶ１は、第４左前連結部７７Ｌと、第４左後連結部７８Ｌと、第４右前連結部７７Ｒと、第４右後連結部７８Ｒとを備えている。第４左後連結部７８Ｌは、第４左前連結部７７Ｌより後方に配置されている。第４右後連結部７８Ｒは、第４右前連結部７７Ｒより後方に配置されている。第４左前連結部７７Ｌにおいて、左ロアーアーム７０Ｌの第１左ロアーフレーム７１Ｌと左後輪９Ｌとが連結されている。第４左後連結部７８Ｌにおいて、左ロアーアーム７０Ｌの第１左ロアーフレーム７１Ｌと左後輪９Ｌとが連結されている。第４右前連結部７７Ｒにおいて、右ロアーアーム７０Ｒの第１右ロアーフレーム７１Ｒと右後輪９Ｒとが連結されている。第４右後連結部７８Ｒにおいて、右ロアーアーム７０Ｒの第１右ロアーフレーム７１Ｒと右後輪９Ｒとが連結されている。
【００５１】
図６に示すように、第４左前連結部７７Ｌと第４左後連結部７８Ｌとを通る第４左直線Ｌ４は、車両底面視において、後方に行くほど車幅方向の内方に向かうように傾斜している。第４左直線Ｌ４は、車両底面視において、後方に行くほど右方に向かうように傾斜している。第４左直線Ｌ４は、第２左直線Ｌ２と平行または実質的に平行である。第４左直線Ｌ４は、第１左直線Ｌ１および第３左直線Ｌ３と平行または実質的に平行である。第４右前連結部７７Ｒと第４右後連結部７８Ｒとを通る第４右直線Ｒ４は、車両底面視において、後方に行くほど車幅方向の内方に向かうように傾斜している。第４右直線Ｒ４は、車両底面視において、後方に行くほど左方に向かうように傾斜している。第４右直線Ｒ４は、第２右直線Ｒ２と平行または実質的に平行である。第４右直線Ｒ４は、第１右直線Ｒ１および第３右直線Ｒ３と平行または実質的に平行である。第２左直線Ｌ２と第４左直線Ｌ４との距離ＭＬは、左ロアーアーム７０Ｌのアーム長さである。第２右直線Ｒ２と第４右直線Ｒ４との距離ＭＲは、右ロアーアーム７０Ｒのアーム長さである。
【００５２】
図６に示すように、左アッパーアーム６０Ｌの取り付け点の中心位置Ｅ１は、左ロアーアーム７０Ｌの取り付け点の中心位置Ｅ２よりも後方である。すなわち、第１左前連結部６５Ｌと第１左後連結部６６Ｌとの車両前後方向の中心位置Ｅ１は、第２左前連結部７５Ｌと第２左後連結部７６Ｌとの車両前後方向の中心位置Ｅ２よりも後方である。右アッパーアーム６０Ｒの取り付け点の中心位置Ｆ１は、右ロアーアーム７０Ｒの取り付け点の中心位置Ｆ２よりも後方である。すなわち、第１右前連結部６５Ｒと第１右後連結部６６Ｒとの車両前後方向の中心位置Ｆ１は、第２右前連結部７５Ｒと第２右後連結部７６Ｒとの車両前後方向の中心位置Ｆ２よりも後方である。
【００５３】
図６に示すように、左ロアーアーム７０Ｌの取り付け点間の距離Ｇ１は、左アッパーアーム６０Ｌの取り付け点間の距離Ｇ２よりも長い。すなわち、第２左前連結部７５Ｌと第２左後連結部７６Ｌとの車両前後方向の距離Ｇ１は、第１左前連結部６５Ｌと第１左後連結部６６Ｌとの車両前後方向の距離Ｇ２より長い。右ロアーアーム７０Ｒの取り付け点間の距離Ｈ１は、右アッパーアーム６０Ｒの取り付け点間の距離Ｈ２よりも長い。すなわち、第２右前連結部７５Ｒと第２右後連結部７６Ｒとの車両前後方向の距離Ｈ１は、第１右前連結部６５Ｒと第１右後連結部６６Ｒとの車両前後方向の距離Ｈ２より長い。
【００５４】
図８に示すように、ＲＯＶ１は、左ショックアブソーバ８０Ｌと右ショックアブソーバ８０Ｒとを備えている。左ショックアブソーバ８０Ｌは、第３接続フレーム５２と左ロアーアーム７０Ｌの第３左ロアーフレーム７３Ｌとに連結されている。右ショックアブソーバ８０Ｒは、第３接続フレーム５２と右ロアーアーム７０Ｒの第３右ロアーフレーム７３Ｒとに連結されている。左ショックアブソーバ８０Ｌは、左車軸１２Ｌより後方において、左ロアーアーム７０Ｌの第３左ロアーフレーム７３Ｌに連結されている。右ショックアブソーバ８０Ｒは、右車軸１２Ｒより後方において、右ロアーアーム７０Ｒの第３右ロアーフレーム７３Ｒに連結されている。左ショックアブソーバ８０Ｌは、第３接続フレーム５２と左アッパーアーム６０Ｌとに連結されていてもよい。右ショックアブソーバ８０Ｒは、第３接続フレーム５２と右アッパーアーム６０Ｒとに連結されていてもよい。図６に示すように、左ショックアブソーバ８０Ｌは、左アッパーアーム６０Ｌの内方に配置されている。右ショックアブソーバ８０Ｒは、右アッパーアーム６０Ｒの内方に配置されている。左ショックアブソーバ８０Ｌは、車両底面視において、第２左アッパーフレーム６２Ｌより後方に配置されている。右ショックアブソーバ８０Ｒは、車両底面視において、第２右アッパーフレーム６２Ｒより後方に配置されている。
【００５５】
図８に示すように、左ショックアブソーバ８０Ｌは、第１上端部８０ＬＡを備えている。右ショックアブソーバ８０Ｒは、第２上端部８０ＲＡを備えている。第１上端部８０ＬＡは、第３接続フレーム５２に連結されている。第２上端部８０ＲＡは、第３接続フレーム５２に連結されている。図４に示すように、第１上端部８０ＬＡは、車両背面視において、第１上接続部４７Ｌと第２上接続部４７Ｒとの間に配置されている。第２上端部８０ＲＡは、車両背面視において、第１上接続部４７Ｌと第２上接続部４７Ｒとの間に配置されている。図３に示すように、左ショックアブソーバ８０Ｌの第１上端部８０ＬＡおよび右ショックアブソーバ８０Ｒの第２上端部８０ＲＡは、第１補助フレーム４４Ｌおよび第２補助フレーム４４Ｒより車幅方向の内方に配置されている。第１上端部８０ＬＡは、第１補助フレーム４４Ｌより右方に配置されている。第２上端部８０ＲＡは、第２補助フレーム４４Ｒより左方に配置されている。
【００５６】
図４に示すように、第１上端部８０ＬＡは、車両背面視において、第１左前連結部６５Ｌより右方に配置されている。第１上端部８０ＬＡは、車両背面視において、第１左後連結部６６Ｌより右方に配置されていてもよい。第２上端部８０ＲＡは、車両背面視において、第１右前連結部６５Ｒより左方に配置されている。第２上端部８０ＲＡは、車両背面視において、第１右後連結部６６Ｒより左方に配置されていてもよい。
【００５７】
図１に示すように、ＲＯＶ１は、エンジン１４から排出される排ガスが流れる排気管１６と、マフラー１７とを備えている。排気管１６は、エンジン１４に連結されている。排気管１６は、エンジン１４と連通する第１排気管１４Ａと、エンジン１４と連通する第２排気管１４Ｂと、エンジン１４と連通する第３排気管１４Ｃとから構成されている。各排気管１４Ａ〜１４Ｃの後端部において、各排気管１４Ａ〜１４Ｃは一体となる。この一体となった部分１４Ｚの後端部には、マフラー１７が連結されている。
【００５８】
図１に示すように、マフラー１７は、エンジン１４の後方に配置されている。図３に示すように、マフラー１７は、車両中心線Ｃ上に配置されている。車両中心線Ｃとは、平面視において、左前輪７Ｌ（図１参照）および右前輪（図示せず）の車幅方向の中心と、左後輪９Ｌおよび右後輪９Ｒの車幅方向の中心とを通る車両前後方向に延びる線である。マフラー１７は、車両平面視において、左ショックアブソーバ８０Ｌの第１上端部８０ＬＡおよび右ショックアブソーバ８０Ｒの第２上端部８０ＲＡと重なる。図４に示すように、マフラー１７は、左ショックアブソーバ８０Ｌと右ショックアブソーバ８０Ｒとの間に配置されている。マフラー１７は、左ショックアブソーバ８０Ｌより右方に配置されている。マフラー１７は、右ショックアブソーバ８０Ｒより左方に配置されている。マフラー１７は、車両背面視において、左パイプフレーム４６Ｌと右パイプフレーム４６Ｒとの間に配置されている。マフラー１７は、車両背面視において、左パイプフレーム４６Ｌより右方に配置されている。マフラー１７は、車両背面視において、右パイプフレーム４６Ｒより左方に配置されている。
【００５９】
以上のように、ＲＯＶ１によれば、図６に示すように、第１左直線Ｌ１および第２左直線Ｌ２は、ＲＯＶ１の後方に行くほど車幅方向の右方に向かうように傾斜している。また、第１右直線Ｒ１および第２右直線Ｒ２は、ＲＯＶ１の後方に行くほど車幅方向の左方に向かうように傾斜している。このため、ＲＯＶ１の車幅方向の長さを長くしなくとも、左右アッパーアーム６０Ｌ、６０Ｒおよび左右ロアーアーム７０Ｌ、７０Ｒのアーム長さを長くすることができる。これにより、ストロークのより長い左右ショックアブソーバ８０Ｌ、８０Ｒを用いることができるため、左右ショックアブソーバ８０Ｌ、８０Ｒの衝撃吸収性能が向上する。また、第１左前連結部６５Ｌを第１左後連結部６６Ｌよりも車幅方向の左方に配置し、第１右前連結部６５Ｒを第１右後連結部６６Ｒよりも車幅方向の右方に配置し、第２左前連結部７５Ｌを第２左後連結部７６Ｌよりも車幅方向の左方に配置し、第２右前連結部７５Ｒを第２右後連結部７６Ｒよりも車幅方向の右方に配置しているため、第１左前連結部６５Ｌ、第１右前連結部６５Ｒ、第２左後連結部６６Ｌおよび第２右後連結部６６Ｒの車幅方向の内方に位置するエンジン１４等の部材のレイアウトの自由度が高くなる。さらにまた、第１左前連結部６５Ｌと第１左後連結部６６Ｌとの車両前後方向の中心位置Ｅ１は、第２左前連結部７５Ｌと第２左後連結部７６Ｌとの車両前後方向の中心位置Ｅ２よりも後方にあり、第１右前連結部６５Ｒと第１右後連結部６６Ｒとの車両前後方向の中心位置Ｆ１は、第２右前連結部７５Ｒと第２右後連結部７６Ｒとの車両前後方向の中心位置Ｆ２よりも後方にあるため、各連結部６５Ｌ、６６Ｌ、７５Ｌ、７６Ｌの配置の自由度が高く、左右アッパーアーム６０Ｌ、６０Ｒおよび左右ロアーアーム７０Ｌ、７０Ｒの取り付け位置の自由度が向上する。
【００６０】
本実施形態のＲＯＶ１によれば、図６に示すように、第２左前連結部７５Ｌにおいて、第１部分２２ＬＡと左ロアーアーム７０Ｌとが連結され、第２左後連結部７６Ｌにおいて、第３部分２２ＬＣと左ロアーアーム７０Ｌとが連結され、第２右前連結部７５Ｒにおいて、第１部分２２ＲＡと右ロアーアーム７０Ｒとが連結され、第２右後連結部７６Ｒにおいて、第３部分２２ＲＣと右ロアーアーム７０Ｒとが連結される。これにより、ＲＯＶ１の車幅方向の長さを長くしなくとも、左右ロアーアーム７０Ｌ、７０Ｒのアーム長さを長くすることができる。また、メインフレーム２２が後方に行くほど車幅方向の内方に向けて傾斜している場合と比較して、メインフレーム２２の車幅方向の内方のスペースが大きくなる。
【００６１】
本実施形態のＲＯＶ１によれば、図６に示すように、エンジン１４は、第３部分２２ＬＣ、２２ＲＣより前方に配置されている。これにより、エンジン１４のレイアウトの自由度が向上する。
【００６２】
本実施形態のＲＯＶ１によれば、図６に示すように、第２左前連結部７５Ｌは、左後輪９Ｌより前方に配置され、第２右前連結部７５Ｒは、右後輪９Ｒより前方に配置されている。このため、左ロアーアーム７０Ｌの前後方向の取り付け幅Ｇ１および右ロアーアーム７０Ｒの前後方向の取り付け幅Ｈ１が長くなる。これにより、左右ショックアブソーバ８０Ｌ、８０Ｒの剛性が高くなる。
【００６３】
本実施形態のＲＯＶ１によれば、図６に示すように、左メインフレーム２２Ｌと左パイプフレーム４６Ｌとが接続された第１下接続部４８Ｌと、右メインフレーム２２Ｒと右パイプフレーム４６Ｒとが接続された第２下接続部４８Ｒとを備え、第１下接続部４８Ｌおよび第２下接続部４８Ｒは、第１リアフレーム４２の後端４２ＢＢより前方に位置する。これにより、ＲＯＶ１の後部と地面とのクリアランスを十分に確保することができる。
【００６４】
本実施形態のＲＯＶ１によれば、図６に示すように、第２左前連結部７５Ｌと第２左後連結部７６Ｌとの車両前後方向の距離Ｇ１は、第１左前連結部６５Ｌと第１左後連結部６６Ｌとの車両前後方向の距離Ｇ２より長く、第２右前連結部７５Ｒと第２右後連結部７６Ｒとの車両前後方向の距離Ｈ１は、第１右前連結部６５Ｒと第１右後連結部６６Ｒとの車両前後方向の距離Ｈ２より長い。このように、左ロアーアーム７０Ｌの前後方向の取り付け幅Ｇ１および右ロアーアーム７０Ｒの前後方向の取り付け幅Ｈ１が長くすることによって、左右ショックアブソーバ８０Ｌ、８０Ｒの剛性が高くなる。
【００６５】
本実施形態のＲＯＶ１によれば、図６に示すように、第３左直線Ｌ３は、第１左直線Ｌ１と平行または実質的に平行であり、第４左直線Ｌ４は、第２左直線Ｌ２と平行または実質的に平行であり、第３右直線Ｒ３は、第１右直線Ｒ１と平行または実質的に平行であり、第４右直線Ｒ４は、第２右直線Ｒ２と平行または実質的に平行である。これにより、左右アッパーアーム６０Ｌ、６０Ｒのアーム長さを長くしつつ、第１左後連結部６６Ｌと第３左後連結部６８Ｌとの距離および第１右後連結部６６Ｒと第３右後連結部６８Ｒとの距離を適正に保つことができる。また、左右ロアーアーム７０Ｌ、７０Ｒのアーム長さを長くしつつ、第２左後連結部７６Ｌと第４左後連結部７８Ｌとの距離および第２右後連結部７６Ｒと第４右後連結部７８Ｒとの距離を適正に保つことができる。
【００６６】
ここに用いられた用語及び表現は、説明のために用いられたものであって限定的に解釈するために用いられたものではない。ここに示されかつ述べられた特徴事項の如何なる均等物をも排除するものではなく、本発明のクレームされた範囲内における各種変形をも許容するものであると認識されなければならない。本発明は、多くの異なった形態で具現化され得るものである。この開示は本発明の原理の実施形態を提供するものと見なされるべきである。それらの実施形態は、本発明をここに記載しかつ／又は図示した好ましい実施形態に限定することを意図するものではないという了解のもとで、実施形態がここに記載されている。ここに記載した実施形態に限定されるものではない。本発明は、この開示に基づいて当業者によって認識され得る、均等な要素、修正、削除、組み合わせ、改良及び／又は変更を含むあらゆる実施形態をも包含する。クレームの限定事項はそのクレームで用いられた用語に基づいて広く解釈されるべきであり、本明細書あるいは本願のプロセキューション中に記載された実施形態に限定されるべきではない。
【符号の説明】
【００６７】
２２Ｌ  左メインフレーム
５６Ｌ  左補助フレーム
６０Ｌ  左アッパーアーム
６５Ｌ  第１左前連結部
６６Ｌ  第１左後連結部
７０Ｌ  左ロアーアーム
７５Ｌ  第２左前連結部
７６Ｌ  第２左後連結部
８０Ｌ  左ショックアブソーバ
Ｌ１  第１左直線
Ｌ２  第２左直線
【図１】
2016120824.tif 000003
【図２】
2016120824.tif 000004
【図３】
2016120824.tif 000005
【図４】
2016120824.tif 000006
【図５】
2016120824.tif 000007
【図６】
2016120824.tif 000008
【図７】
2016120824.tif 000009
【図８】
2016120824.tif 000010
【図９】
2016120824.tif 000011